(57)【要約】【課題】蓋部の構成をシンプルにした容器を提供する。【解決手段】容器１０において、容器本体部１２は、開口２２を有する。蓋部１４は、開口２２を開閉可能に設けられる。ヒンジ部１８は、蓋部１４を容器本体部１２に回転可能に連結する。ロック構造１６は、蓋部１４が開口２２を閉じた状態でロックする。ラッチ部２４は、蓋部１４の側方にて蓋部１４側に回転可能に設けられる。引掛部２６は、ラッチ部２４に回転可能に設けられる。係合部２８は、容器本体部１２に設けられ、引掛部２６に係合してロック状態にする。ロック状態においてラッチ部２４を開き方向に回転させることで引掛部２６はラッチ部２４に連動して係合部２８から外れて係合部２８より径方向外側に移動し、ロック解除状態においてラッチ部２４を閉じる方向に回転させることで引掛部２６はラッチ部２４に連動して係合部２８に係合する。【選択図】図２
2020164204.tif 000002
【特許請求の範囲】
【請求項１】
開口を有する容器本体部と、
前記開口を開閉可能に設けられる蓋部と、
前記蓋部を前記容器本体部に回転可能に連結するヒンジ部と、
前記蓋部が前記開口を閉じた状態でロックするロック構造と、を備え、
前記ロック構造は、
前記蓋部の側方にて前記蓋部側に回転可能に設けられるラッチ部と、
前記ラッチ部に回転可能に設けられる引掛部と、
前記容器本体部に設けられ、前記引掛部に係合して前記ロック構造をロック状態にする係合部と、を有し、
ロック状態において前記ラッチ部が開き方向に回転されることで前記引掛部は前記ラッチ部に連動して前記係合部から外れて前記係合部より径方向外側に移動し、ロック解除状態において前記ラッチ部が閉じ方向に回転されることで前記引掛部は前記ラッチ部に連動して前記係合部に係合することを特徴とする容器。
【請求項２】
前記ヒンジ部は、前記蓋部側の第１線材および前記容器本体部側の第２線材を連結して形成され、
前記ヒンジ部における前記第１線材および前記第２線材の連結は解除可能であることを特徴とする請求項１に記載の容器。
【請求項３】
前記引掛部は、線材により環状に形成され、前記蓋部を閉じた状態における側面視にて前記引掛部の先端部に向かって径方向外向きに屈曲することを特徴とする請求項１または２に記載の容器。
【請求項４】
前記ラッチ部は、ロック状態において前記蓋部の径方向外側にて前記蓋部側から前記容器本体部側に向かって垂下した状態になり、閉じ方向に回転した際に前記容器本体部に当接しないことを特徴とする請求項１に記載の容器。
【発明の詳細な説明】
【技術分野】
【０００１】
本発明は、開口を開閉可能な蓋部を備える容器に関する。
【背景技術】
【０００２】
特許文献１には、上部開口を有する容器本体と、上部開口を閉鎖する蓋体と、蓋体に取り付けるバックルと、バックルに枢着する締結子と、容器本体に設けられて、締結子を係合する係合突部とを備える密閉容器閉蓋装置が開示されている。バックルが回転することで、締結子が係合突部に係合または係合解除する。
【先行技術文献】
【特許文献】
【０００３】
【特許文献１】実開平５−８６８４９号公報
【発明の概要】
【発明が解決しようとする課題】
【０００４】
特許文献１に開示される技術では、バックルを蓋体に取り付けることで容器本体を簡素化しているが、係止状態にてバックルが蓋体の上面に位置し、蓋体の上部に埋め込むように配置されるため、蓋体の上面に溝が形成され、蓋体が分厚くなり得る。
【０００５】
本発明の目的は、蓋部の構成をシンプルにした容器を提供することにある。
【課題を解決するための手段】
【０００６】
上記課題を解決するために、本発明のある態様の容器は、開口を有する容器本体部と、開口を開閉可能に設けられる蓋部と、蓋部を容器本体部に回転可能に連結するヒンジ部と、蓋部が開口を閉じた状態でロックするロック構造と、を備える。ロック構造は、蓋部の側方にて蓋部側に回転可能に設けられるラッチ部と、ラッチ部に回転可能に設けられる引掛部と、容器本体部に設けられ、引掛部に係合してロック状態にする係合部と、を有する。ロック状態においてラッチ部が開き方向に回転されることで引掛部はラッチ部に連動して係合部から外れて係合部より径方向外側に移動し、ロック解除状態においてラッチ部が閉じ方向に回転されることで引掛部はラッチ部に連動して係合部に係合する。
【発明の効果】
【０００７】
本発明によれば、蓋部の構成をシンプルにした容器を提供できる。
【図面の簡単な説明】
【０００８】
【図１】実施例の容器の斜視図である。
【図２】蓋部を開状態にさせた容器の側面図である。
【図３】図３（ａ）は、容器の背面図であり、図３（ｂ）は、容器の正面図である。
【図４】図４（ａ）は、容器の側面図であり、図４（ｂ）は、容器の平面図である。
【図５】図５（ａ）は、第１線材の平面図であり、図５（ｂ）は、第１線材の側面図であり、図５（ｃ）は、第１線材の背面図である。
【図６】図６（ａ）は、第２線材の側面図であり、図６（ｂ）は、第２線材の平面図である。
【図７】図７（ａ）は、ラッチ部の側面図であり、図７（ｂ）は、ラッチ部の正面図である。
【図８】図８（ａ）は、引掛部の正面図であり、図８（ｂ）は、引掛部の側面図である。
【図９】ロック構造の動作について説明するための図である。
【発明を実施するための形態】
【０００９】
図１は、実施例の容器１０の斜視図である。容器１０は、飲食物の保存や小物の収納に用いられる。容器１０は、容器本体部１２、蓋部１４、ロック構造１６、ヒンジ部１８および把手部２０を備える。
【００１０】
容器本体部１２は、上端側が開口した有底円筒状に形成され、ガラス材料や樹脂材料により形成される。容器本体部１２は、円筒状に限られず、角筒状に形成されてもよい。
【００１１】
蓋部１４は、円盤状に形成され、容器本体部１２の開口を開閉可能に設けられる。蓋部１４は、容器本体部１２の開口を閉じた閉状態と、容器本体部１２の開口を開いた開状態をとる。蓋部１４には、容器本体部１２の開口を密閉するためのシール部材が取り付けられる。蓋部１４は、容器本体部１２と同様にガラス材料や樹脂材料により形成される。
【００１２】
ヒンジ部１８は、蓋部１４を容器本体部１２に回転可能に連結する。ヒンジ部１８により、蓋部１４が容器本体部１２に連結された状態で容器本体部１２の開口を開閉する動作が可能となる。
【００１３】
ロック構造１６は、蓋部１４が容器本体部１２の開口を閉じた状態でロックし、蓋部１４を閉状態に維持する。ロック構造１６は、蓋部１４を閉状態にロックしたロック状態と、ロックを解除したロック解除状態をとる。図１では、蓋部１４が閉状態で、ロック構造１６がロック状態である。ロック構造１６およびヒンジ部１８の詳細な構成は後述する。把手部２０は、線材により形成され、容器本体部１２側に回転可能に連結されている。
【００１４】
図２は、蓋部１４を開状態にさせた容器１０の側面図である。蓋部１４は、容器本体部１２の開口２２を開放しており、この開状態においてヒンジ部１８により容器本体部１２に連結されている。
【００１５】
ロック構造１６は、ラッチ部２４、引掛部２６および係合部２８を有する。ラッチ部２４は、蓋部１４側に回転可能に設けられる。引掛部２６は、ラッチ部２４に回転可能に設けられる。係合部２８は、容器本体部１２に設けられ、引掛部２６と係合してロック状態にする。図２では、係合部２８と引掛部２６が係合していないためロック解除状態である。
【００１６】
図３（ａ）は、容器１０の背面図であり、図３（ｂ）は、容器１０の正面図である。また、図４（ａ）は、容器１０の側面図であり、図４（ｂ）は、容器１０の平面図である。図３（ａ）、図３（ｂ）および図４（ａ）では、容器本体部１２の一部を省略して示す。
【００１７】
図３（ａ）に示すように、蓋部１４の蓋側溝部１４ａには、一対の第１線材３０ａ，３０ｂが蓋部１４を巻回するように設けられ、容器本体部１２の本体側溝部１２ａには、第２線材３２が容器本体部１２を巻回するように設けられる。本体側溝部１２ａおよび蓋側溝部１４ａは、周方向に渡って環状に形成される。この第１線材３０ａ，３０ｂおよび第２線材３２について新たな図面を参照して説明する。
【００１８】
図５（ａ）は、第１線材３０ａの平面図であり、図５（ｂ）は、第１線材３０ａの側面図であり、図５（ｃ）は、第１線材３０ａの背面図である。なお、図３（ａ）に示す第１線材３０ｂは、第１線材３０ａと対称形状であり、同様の構成を有するため説明を省略する。第１線材３０ａおよび第１線材３０ｂ（これらを区別しない場合「第１線材３０」という）により蓋部１４の蓋側溝部１４ａが環囲される。
【００１９】
第１線材３０ａは、金属材料で円弧状に形成され、一端に支持部４２を有し、他端に軸受部４０を有する。支持部４２は、正面側に張り出すように形成される。第１線材３０ａと第１線材３０ｂの一対の支持部４２は、ラッチ部２４を回転可能に支持する。
【００２０】
図５（ｂ）に示すように、軸受部４０は、背面側に張り出すとともに垂下するように形成され、湾曲して輪っかを形成している。第１線材３０ａおよび第１線材３０ｂの一対の軸受部４０は、第２線材３２と連結してヒンジ部１８を構成し、蓋部１４を回転可能に支持する。
【００２１】
図６（ａ）は、第２線材３２の側面図であり、図６（ｂ）は、第２線材３２の平面図である。第２線材３２は、金属材料によりスリットを有した円環状に形成される。第２線材３２は、係合部２８、把手支持部３６および軸支部３８を有する。把手支持部３６は、孔状に形成され、把手部２０の端部２０ａに連結して支持する。
【００２２】
係合部２８は、本体から正面側に突出する突出部２８ａと、突出部２８ａの端部から垂下する垂下部２８ｂとを有する。突出部２８ａは、第２線材３２の本体から屈曲して径方向外向きに突出する。垂下部２８ｂは、正面視にて略Ｕ字状に形成され、先端に向かって容器本体部１２から遠ざかるように延出、すなわち正面側に張り出すように垂下する。これにより、垂下部２８ｂに引掛部２６を引っ掛けやすくなる。
【００２３】
軸支部３８は、一対設けられ、第２線材３２の本体から背面側に張り出す。軸支部３８は、第１線材３０ａおよび第１線材３０ｂの軸受部４０に挿入されて、ヒンジ部１８を構成する。一対の軸支部３８の離間を制限するため、軸支部３８の基端側に第１環状部３４が設けられる。一対の軸支部３８は、第１環状部３４に挿通される。
【００２４】
図３および図４に戻る。図３（ａ）には、把手支持部３６が把手部２０を支持している様子が示される。図４（ａ）および図４（ｂ）には、第２線材３２の軸支部３８と、第１線材３０ａおよび第１線材３０ｂの軸受部４０が連結している様子が示される。ヒンジ部１８は、容器本体部１２側の第１線材３０および蓋部１４側の第２線材３２を連結して形成される。
【００２５】
図４（ｂ）に示すように、一対の軸受部４０には一対の軸支部３８が外側から挿入されているが、一対の軸支部３８は離間しているため、一対の軸受部４０を接近させて一対の軸支部３８の内側に移動させると、軸受部４０と軸支部３８の連結が外れる。ユーザは、図２に示す蓋部１４の開状態において、一対の軸受部４０を接近させるように摘むと、ヒンジ部１８の連結が外れて、蓋部１４を容器本体部１２から取り外すことができる。ラッチ部２４が蓋部１４側に設けられているため、蓋部１４を外すと容器本体部１２はシンプルな形状となり使いやすい。
【００２６】
なお、第１線材３０ａ，３０ｂに孔状の軸受部４０を設け、第２線材３２に棒状の軸支部３８を設ける態様を示したが、この態様に限られず、孔状および棒状の関係は逆であってよい。いずれにしても、ヒンジ部１８での第１線材３０および第２線材３２の連結は解除可能である。
【００２７】
図４（ａ）に示すように、ロック構造１６は、ラッチ部２４、引掛部２６および係合部２８により構成される。ラッチ部２４および引掛部２６について新たな図面を参照して説明する。
【００２８】
図７（ａ）は、ラッチ部２４の側面図であり、図７（ｂ）は、ラッチ部２４の正面図である。ラッチ部２４は、第１回転軸部２４ａ、第２回転軸部２４ｂおよび操作部２４ｃを有し、金属板材をもとに長手状に形成される。第１回転軸部２４ａは、ラッチ部２４の側壁に孔状に形成され、ラッチ部２４の長手方向（図７（ａ）の左右方向）において中途に位置し、第１線材３０ａおよび第１線材３０ｂの支持部４２を受け入れる。
【００２９】
第２回転軸部２４ｂは、長手方向においてラッチ部２４の一端に位置し、孔状に形成される。第２回転軸部２４ｂは、引掛部２６を回転可能に軸支する。第１回転軸部２４ａと第２回転軸部２４ｂは、平行であるものの、位置は異なっている。
【００３０】
操作部２４ｃは、長手方向においてラッチ部２４の他端側に位置する。操作部２４ｃは、ユーザの指で操作を受け、その操作によってラッチ部２４が第１回転軸部２４ａで回転する。
【００３１】
図８（ａ）は、引掛部２６の正面図であり、図８（ｂ）は、引掛部２６の側面図である。引掛部２６は、線材により形成され、矩形の環状に形成される。引掛部２６は、屈曲部２６ａと軸部２６ｂと先端部２６ｃを有する。軸部２６ｂは、スリットにより離間して一対設けられ、第２回転軸部２４ｂに軸支される。軸部２６ｂは、基端に位置し、先端部２６ｃと対向する。先端部２６ｃは、係合部２８に引っ掛かる。
【００３２】
屈曲部２６ａは、側面視にて軸部２６ｂと先端部２６ｃの中途で引掛部２６を屈曲する。屈曲部２６ａは、側面視にて中央より軸部２６ｂで引掛部２６を屈曲する。蓋部１４の閉状態において引掛部２６は、屈曲部２６ａにより先端部２６ｃに向かって容器本体部１２から離れるように設けられる。引掛部２６は、蓋部１４の閉状態かつロック解除状態における側面視にて先端部２６ｃに向かって係合部２８から遠ざかる方向、すなわち径方向外向きに屈曲する。
【００３３】
図４に戻る。ラッチ部２４は、ロック状態において、蓋部１４の側方、すなわち蓋部１４の径方向外側に位置し、操作部２４ｃ側が垂下するように設けられる。つまり、ラッチ部２４は、ロック状態において蓋部１４側から容器本体部１２側に向かって垂下した状態になる。図４（ａ）に示すように、ラッチ部２４が第１回転軸部２４ａで回転した場合に、引掛部２６の支点となる第２回転軸部２４ｂは、第１回転軸部２４ａから離れて位置するため、第１回転軸部２４ａの周りを回転する。
【００３４】
ラッチ部２４は、図４（ａ）に示すロック状態において、蓋部１４の側方に位置し、蓋部１４の上端面を越えないように設けられる。これにより、蓋部１４の上面の形状を平面状に簡素化でき、蓋部１４の上に他の物体を載置しやすくできる。
【００３５】
図９は、ロック構造１６の動作について説明するための図である。ラッチ部２４の回転位置が異なるＡ状態のロック構造１６と、Ｂ状態のロック構造１６を示す。Ｂ状態は、ラッチ部２４が開き方向に回転できない状態であり、ラッチ部２４が最大限開いた状態である。Ａ状態は、ラッチ部２４をＢ状態から閉じ方向に回転させた状態で、ラッチ部２４をロックする前の状態である。
【００３６】
Ｂ状態においてラッチ部２４の開き方向の回転は、ラッチ部２４の第２回転軸部２４ｂ側の端部が第１線材３０ａ，３０ｂの支持部４２に当接して制限される。また、ラッチ部２４の開き方向の回転は、ラッチ部２４が蓋部１４に当接して制限されてもよい。一方、ラッチ部２４は、図４（ａ）に示すように、閉じ方向に回転した際に係合部２８に当接して回転を制限され、容器本体部１２に当接しない。これにより、ラッチ部２４が容器本体部１２に当接して傷つけることを避けることができる。
【００３７】
引掛部２６は、第２回転軸部２４ｂから自重で垂れ下がった状態にあり、ラッチ部２４の回転に連動して移動し、係合部２８に接近または離間する。ラッチ部２４を最大限開いたＢ状態では、引掛部２６の先端部２６ｃは、鉛直方向において係合部２８に重ならない位置にある。そのため、蓋部１４を開き方向に回転させても、引掛部２６が係合部２８に引っ掛からない。Ｂ状態の引掛部２６は、第２回転軸部２４ｂから垂れ下がっただけで、外力が付与されていない自由状態にある。
【００３８】
より好ましくは、ラッチ部２４を最大限開いたＢ状態で、引掛部２６の先端部２６ｃと係合部２８の先端との間隔Ｌが所定間隔以上開くように設定する。これにより、Ｂ状態から蓋部１４を開いた際に引掛部２６が少し揺れ動いても係合部２８に引っ掛からないようにできる。所定間隔は、例えば５ミリメートルから１０ミリメートル程度に設定される。
【００３９】
引掛部２６は、屈曲部２６ａから先端部２６ｃに向かって容器本体部１２から離れる方向に延在する。屈曲部２６ａを設けることで、先端部２６ｃが径方向において第２回転軸部２４ｂより容器本体部１２から離れた位置、すなわち係合部２８から遠い位置にある。この径方向は、容器本体部１２の中心軸から係合部２８に向かう方向である。これにより、引掛部２６を係合部２８から外れやすくでき、ユーザがラッチ部２４を開方向に回転させれば引掛部２６の先端部２６ｃが係合部２８から径方向に離れて位置するため、手指で引掛部２６を外す作業を不要にできる。
【００４０】
図４（ａ）に示すロック状態においてラッチ部２４を開き方向に回転させることで引掛部２６はラッチ部２４に連動して係合部２８から外れて、係合部２８に干渉しない位置、すなわち、係合部２８より径方向外側に移動し、図９に示すＢ状態の位置をとる。
【００４１】
ラッチ部２４を閉じ方向に回転させたＡ状態では、先端部２６ｃは、鉛直方向において係合部２８に重なる位置にあり、係合部２８の下方に入り込む。これにより、ラッチ部２４を閉じ方向に回転させるだけで、引掛部２６を手指で動かす必要なく、引掛部２６を係合部２８に引っ掛けることができる。
【００４２】
ロック解除したＢ状態においてラッチ部２４を閉じる方向に回転させることで引掛部２６はラッチ部２４に連動して係合部２８に係合可能な位置、すなわちに係合部２８の下方の位置に移動する。Ａ状態からラッチ部２４を閉じ方向に回転させると、引掛部２６の先端部２６ｃが係合部２８に引っ掛かり、図４（ａ）に示すロック状態になる。このように、ユーザはラッチ部２４を回転させるだけで、ロック構造１６のロックおよびロック解除ができる。
【００４３】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００４４】
１０  容器、  １２  容器本体部、  １２ａ  本体側溝部、  １４  蓋部、  １４ａ  蓋側溝部、  １６  ロック構造、  １８  ヒンジ部、  ２０  把手部、  ２２  開口、  ２４  ラッチ部、  ２４ａ  第１回転軸部、  ２４ｂ  第２回転軸部、  ２４ｃ  操作部、  ２６  引掛部、  ２６ａ  屈曲部、  ２６ｂ  軸部、  ２６ｃ  先端部、  ２８  係合部、  ３０ａ，３０ｂ  第１線材、  ３２  第２線材、  ３４  第１環状部、  ３６  把手支持部、  ３８  軸支部、  ４０  軸受部、  ４２  支持部。
【図１】
2020164204.tif 000003
【図２】
2020164204.tif 000004
【図３】
2020164204.tif 000005
【図４】
2020164204.tif 000006
【図５】
2020164204.tif 000007
【図６】
2020164204.tif 000008
【図７】
2020164204.tif 000009
【図８】
2020164204.tif 000010
【図９】
2020164204.tif 000011